(57)【要約】【課題】バッテリ残量保持期間の長期化を図る。【解決手段】実施形態の電源回路は、内蔵バッテリと、手動操作可能で、常開接点を有する第１スイッチと、第１スイッチが閉状態とされることにより閉状態となり内蔵バッテリの電力を供給対象回路に供給可能であるとともに、開状態において内蔵バッテリの電力の前記供給対象回路への供給を遮断可能な第２スイッチと、を備えている。保持回路は、第１スイッチが所定時間以上継続して閉状態とされると、第２スイッチの閉状態を保持する。【選択図】図１
2015128336.tif 000002
【特許請求の範囲】
【請求項１】
内蔵バッテリと、
手動操作可能で、常開接点を有する第１スイッチと、
前記第１スイッチが閉状態とされることにより閉状態となり前記内蔵バッテリの電力を供給対象回路に供給可能であるとともに、開状態において前記内蔵バッテリの電力の前記供給対象回路への供給を遮断可能な第２スイッチと、
前記第１スイッチが所定時間以上継続して閉状態とされると、前記第２スイッチの閉状態を保持する保持回路と、
を備えた電源回路。
【請求項２】
前記保持回路は、前記供給対象回路から供給された保持指示信号に基づいて前記第２スイッチの閉状態の保持状態に移行する、
請求項１記載の電源回路。
【請求項３】
前記第１スイッチは、機械接点を有するスイッチとして構成され、
前記第２スイッチは、半導体スイッチとして構成されている、
請求項１または請求項２記載の電源回路。
【請求項４】
前記第２スイッチは、ＰＭＯＳトランジスタで構成されている、
請求項１乃至請求項３のいずれかに記載の電源回路。
【請求項５】
前記保持回路は、前記所定時間に相当する時定数を有し、前記ＰＭＯＳトランジスタのゲート端子Ｇの電位を“Ｌ”レベルとする時定数回路を備えた、
請求項３記載の電源回路。
【請求項６】
前記時定数回路は、抵抗及びコンデンサを備えたＲＣ回路として構成され、
前記コンデンサが前記ＰＭＯＳトランジスタのゲート端子Ｇに接続されている、
請求項５記載の電源回路。
【請求項７】
前記保持回路は、所定の解除操作がなされた場合に前記第２スイッチの閉状態を解除する、
請求項１乃至請求項６のいずれかに記載の電源回路。
【請求項８】
前記保持回路は、前記内蔵バッテリからの供給電力で動作可能である、
請求項１乃至請求項７のいずれかに記載の電源回路。
【請求項９】
外部からの電力供給が可能な外部電力供給端子を有し、
前記保持回路は、前記外部電力供給端子から電力が供給された状態で前記第１スイッチが閉状態とされた場合に、前記第２スイッチを閉状態とし、当該閉状態を保持する、
請求項１乃至請求項８のいずれかに記載の電源回路。
【請求項１０】
前記保持回路は、前記外部電力供給端子から供給された電力で動作可能である、
請求項９記載の電源回路。
【請求項１１】
請求項１乃至請求項１０のいずれかに記載の電源回路と、
前記供給対象回路と、
を備えた電子機器。
【請求項１２】
前記供給対象回路として、前記内蔵バッテリの充放電制御を行う充放電制御ユニットを含む、
請求項１１記載の電子機器。
【請求項１３】
前記供給対象回路として、当該電子機器を制御するシステムユニットを含む、
請求項１１又は請求項１２記載の電子機器。
【発明の詳細な説明】
【技術分野】
【０００１】
本発明の実施形態は、電源回路及び電子機器に関する。
【背景技術】
【０００２】
従来、バッテリ回路内蔵型の電子機器においては、出荷時にバッテリを製品から取り外して梱包することが出来ない。
このような電子機器を店舗で顧客に販売するに際し、顧客が実際に購入する電子機器を用いて動作説明を行うことが一般的に行われている。
【０００３】
このため、従来の電子機器においては、初期動作用として内蔵しているバッテリの残容量を十分に動作可能な程度にしておく必要があり、バッテリ残量保持期間を伸ばす方法としてシステムの暗電流を低減させることで対応していた。
【先行技術文献】
【特許文献】
【０００４】
【特許文献１】特開２００５−６５４９５号公報
【発明の概要】
【発明が解決しようとする課題】
【０００５】
しかしながら、従来技術においては、システムに搭載している各デバイスの漏洩電流により長期間のバッテリ残量の保持は困難であった。
【０００６】
本発明は、上記に鑑みてなされたものであって、バッテリ残量保持期間の長期化を図ることができる電源回路及び電子機器を提供することを目的としている。
【課題を解決するための手段】
【０００７】
実施形態の電源回路は、内蔵バッテリと、手動操作可能で、常開接点を有する第１スイッチと、第１スイッチが閉状態とされることにより閉状態となり内蔵バッテリの電力を供給対象回路に供給可能であるとともに、開状態において内蔵バッテリの電力の前記供給対象回路への供給を遮断可能な第２スイッチと、を備えている。
そして、保持回路は、第１スイッチが所定時間以上継続して閉状態とされると、第２スイッチの閉状態を保持する。
【図面の簡単な説明】
【０００８】
【図１】図１は、実施形態の電子機器の概要構成ブロック図である。
【図２】図２は、第１実施形態の充放電制御ユニットの概要構成図である。
【図３】図３は、第２実施形態の電子機器の概要構成説明図である。
【図４】図４は、第３実施形態の電子機器の概要構成説明図である。
【図５】図５は、第４実施形態の電子機器の概要構成説明図である。
【発明を実施するための形態】
【０００９】
次に図面を参照して好適な実施形態について説明する。
図１は、実施形態の電子機器の概要構成ブロック図である。
電子機器１０は、内蔵バッテリ１１と、外部の直流電源が接続される直流電源端子１２を有し、内蔵バッテリ１１の充放電制御を行う充放電制御ユニット１３と、内蔵バッテリ１１の蓄電電力あるいは直流電源端子１２を介した外部の直流電源からの電力の供給を受けて電子機器１０全体を制御するシステムユニット１４と、タッチパネルディスプレイを有するユーザインタフェース部１５と、を備えている。
ユーザインタフェース部１５は、各種情報を表示するディスプレイ１６と、タッチパネル及び電源ボタン１７を含む操作ボタンを備えた入力操作部１８と、を備えている。
【００１０】
［１]第１実施形態
図２は、第１実施形態の充放電制御ユニットの概要構成図である。
充放電制御ユニット１３は、直流電源端子１２と逆流防止ダイオード２０を介して接続された電源入力端子２１、通常電源オン端子２２及び電源供給ステータス端子２３を有し、電源供給管理及び内蔵バッテリ１１の充電制御を行うコントローラ２４と、アノード端子Ａが通常電源オン端子２２に接続され、カソード端子Ｋが電源ボタン１７に連動する常開接点を有するスイッチ１７ＳＷに接続された第１逆流防止ダイオード２５と、を備えている。
【００１１】
また、充放電制御ユニット１３は、ゲート端子Ｇが電源供給ステータス端子２３に接続され、ソース端子Ｓが接地されたＮＭＯＳトランジスタ２６と、ＮＭＯＳトランジスタ２６のゲート端子Ｇ−ソース端子Ｓ間に接続された抵抗２７と、カソード端子Ｋが第１逆流防止ダイオード２５のカソード端子Ｋに接続され、アノード端子ＡがＮＭＯＳトランジスタ２６のドレイン端子Ｄに接続された第２逆流防止ダイオード２８と、を備えている。
【００１２】
さらに充放電制御ユニット１３は、アノード端子Ａが内蔵バッテリ１１の高電位側端子に接続された第３逆流防止ダイオード２９と、第３逆流防止ダイオードのカソード端子Ｋにソース端子Ｓが接続され、ドレイン端子Ｄがシステムユニット１４の高電位側電力端子１４Ｐ及び電源入力端子２１に接続されたＰＭＯＳトランジスタ３０と、ＰＭＯＳトランジスタ３０のゲート端子Ｇに一端が接続され、他端が接地され、電源ボタン１７の長押し時間を規定するためのコンデンサ３１と、ＰＭＯＳトランジスタ３０のゲート端子Ｇ−ソース端子Ｓ間に接続された抵抗３２と、ＰＭＯＳトランジスタ３０のゲート端子Ｇと第２逆流防止ダイオード２８のアノード端子に接続された電流制限抵抗３３と、を備えている。
【００１３】
次に第１実施形態の動作を説明する。
まず、電源入力端子２１に直流電源端子１２を介して外部の直流電源（例えば、ＡＣ／ＤＣアダプタ）が接続されていない場合について説明する。
初期状態においては、電源供給ステータス端子２３は、“Ｌ”レベルであるため、ＮＭＯＳトランジスタ２６のゲート端子Ｇは、“Ｌ”レベルであり、オフ状態となっている。
【００１４】
また、ＰＭＯＳトランジスタ３０は、コンデンサ３１が充電状態（“Ｈ”レベル）となっているため、ＰＭＯＳトランジスタ３０のゲート端子Ｇは“Ｈ”レベルであり、オフ状態となっている。
この状態において、ユーザが電源ボタン１７を押すと、電源ボタン１７に連動する常開接点を有するスイッチ１７ＳＷがオン状態となる。
【００１５】
この結果、コンデンサ３１は、電流制限抵抗３３及び第２逆流防止ダイオード２８を介して接地され、放電を開始する。
そして、コンデンサ３１及び電流制限抵抗３３で規定される時定数に相当する時間後にコンデンサ３１は、放電状態（“Ｌ”レベル）となる。
【００１６】
これにより、ＰＭＯＳトランジスタ３０のゲート端子Ｇは、“Ｌ”レベルとなり、ＰＭＯＳトランジスタ３０は、オン状態となる。
ＰＭＯＳトランジスタ３０がオン状態となると、内蔵バッテリ１１の高電位側端子から第３逆流防止ダイオード２９、ＰＭＯＳトランジスタ３０のソース端子Ｓ及びＰＭＯＳトランジスタ３０のドレイン端子Ｄを介してコントローラ２４の電源入力端子２１に内蔵バッテリ１１の電力が供給され、電源入力端子２１に所定の駆動電圧が印加される。
【００１７】
電源入力端子２１に所定の駆動電圧が印加されると、コントローラ２４は、動作を開始し、電源供給ステータス端子２３を“Ｈ”レベルに固定する。
電源供給ステータス端子２３が“Ｈ”レベルとなると、ＮＭＯＳトランジスタ２６は、オン状態となるため、その後、ユーザが電源ボタン１７を押すのを止めても、ＰＭＯＳトランジスタ３０のゲート端子Ｇは、“Ｌ”レベルを維持し、ＰＭＯＳトランジスタ３０は、オン状態を継続する。
したがって、内蔵バッテリ１１の蓄電電力は、システムユニット１４に供給され、システムユニット１４は、電子機器１０全体を制御することとなる。
【００１８】
以上の説明のように、本第１実施形態によれば，ユーザが電源ボタン１７を長押しするまでは、システムユニット１４及びコントローラ２４は、内蔵バッテリ１１から遮断された状態であるため、待機電流をほぼ零とすることができ、内蔵バッテリ１１のバッテリ残量保持期間の長期化を図ることが可能となる。
【００１９】
［２］第２実施形態
図３は、第２実施形態の電子機器の概要構成説明図である。
図３において、図１及び図２と同様の部分には、同一の符号を付すものとする。
本第２実施形態が、第１実施形態と異なる点は、一旦電源が供給されると、供給を継続するようにシステムユニット１４が動作する点である。
【００２０】
電子機器１０Ａは、内蔵バッテリ１１と、内蔵バッテリ１１と並列に接続され、内蔵バッテリ１１の出力電圧を安定化するためのコンデンサ３５と、内蔵バッテリ１１の充放電制御を行う充放電制御ユニット１３Ａと、内蔵バッテリ１１の蓄電電力あるいは直流電源端子１２を介した外部の直流電源からの電力の供給を受けて電子機器１０Ａ全体を制御するシステムユニット１４と、タッチパネルディスプレイを有するユーザインタフェース部１５と、を備えている。
ユーザインタフェース部１５は、各種情報を表示するディスプレイ１６と、タッチパネル及び電源ボタン１７を含む操作ボタンを備えた入力操作部１８と、を備えている。
【００２１】
充放電制御ユニット１３Ａは、外部の直流電源が接続される直流電源端子１２、外部電源接続時にシステムユニット１４へ電力を供給するシステム電源端子３６、内蔵バッテリ１１への充電電力を供給するバッテリ端子３７及び外部の直流電源の接続時に“Ｈ”レベルとなるバッテリ電源供給制御端子３８を有し、電源供給管理及び内蔵バッテリ１１の充放電制御を行うコントローラ２４Ａと、ドレイン端子Ｄがバッテリ端子３７に接続されソース端子Ｓが内蔵バッテリ１１の高電位側端子に接続されたＰＭＯＳトランジスタ３０と、ＰＭＯＳトランジスタ３０のゲート端子Ｇに一端が接続され、他端が接地され、電源ボタン１７の長押し時間を規定するためのコンデンサ３１と、を備えている。
【００２２】
また、充放電制御ユニット１３Ａは、ＰＭＯＳトランジスタ３０のゲート端子Ｇ−ソース端子Ｓ間に接続された抵抗３２と、ＰＭＯＳトランジスタ３０のゲート端子Ｇに一端が接続され、他端がスイッチ１７ＳＷの一端に接続された電流制限抵抗３３と、電流制限抵抗３３とスイッチ１７ＳＷの接続点にドレイン端子Ｄが接続され、ソース端子Ｓが接地されたＮＭＯＳトランジスタ４１と、ソース端子Ｓがシステム電源端子３６に接続され、ドレイン端子Ｄがバッテリ端子３７に接続され、ゲート端子Ｇがバッテリ電源供給制御端子３８に接続されたＰＭＯＳトランジスタ４２と、を備えている。
【００２３】
さらに、充放電制御ユニット１３Ａは、ＰＭＯＳトランジスタ４２のドレイン端子Ｄに一端が接続され、他端がＮＭＯＳトランジスタ４１のゲート端子Ｇに接続された分圧抵抗４３と、一端がＮＭＯＳトランジスタ４１のゲート端子Ｇに接続され、他端が接地された分圧抵抗４４と、一端がＮＭＯＳトランジスタ４１のゲート端子Ｇに接続され、他端が接地されたコンデンサ４５と、一端がＮＭＯＳトランジスタ４１のゲート端子Ｇに接続され、他端が接地されたＮＭＯＳトランジスタ４６と、一端がＮＭＯＳトランジスタ４６のソース端子Ｓに接続され、他端がシステムユニット１４のシステム電源供給端子５１に接続され、システム電源ラインＳＬの電圧変動を抑制するためのコンデンサ５０と、を備えている。
【００２４】
さらにまた、充放電制御ユニット１３Ａは、電流制限抵抗３３とスイッチ１７ＳＷの接続点にドレイン端子Ｄが接続され、ソース端子Ｓが接地されたＮＭＯＳトランジスタ４７と、一端が逆流防止ダイオード２０のカソード端子Ｋに接続され、他端がＮＭＯＳトランジスタ４７のゲート端子Ｇに接続された分圧抵抗４８と、一端がＮＭＯＳトランジスタ４７のゲート端子Ｇに接続され、他端が接地された分圧抵抗４９と、を備えている。
【００２５】
上記構成において、システムユニット１４は、システム電源端子３６に接続されて、電力供給を受けるシステム電源供給端子５１及びＮＭＯＳトランジスタ４６のゲート端子Ｇに接続された入出力端子５２を備えている。
【００２６】
次に第２実施形態の動作を説明する。
まず、電源入力端子２１に直流電源端子１２を介して外部の直流電源が接続されていない場合について説明する。
【００２７】
初期状態においては、ＰＭＯＳトランジスタ３０は、コンデンサ３１が充電状態（“Ｈ”レベル）となっているため、ＰＭＯＳトランジスタ３０のゲート端子Ｇは“Ｈ”レベルであり、オフ状態となっている。
【００２８】
ＮＭＯＳトランジスタ４１及びＮＭＯＳトランジスタ４７のゲート端子Ｇは、接地され、“Ｌ”レベルであるためオフ状態となっている。
また、ＮＭＯＳトランジスタ４６は、システムユニット１４の入出力端子５２が“Ｌ”レベルであるため、ゲート端子Ｇも“Ｌ”レベルとなり、オフ状態となっている。
【００２９】
まず、内蔵バッテリ１１で、電子機器１０Ａを駆動する場合の動作を説明する。
上記初期状態において、ユーザが電源ボタン１７を押すと、電源ボタン１７に連動する常開接点を有するスイッチ１７ＳＷがオン状態となる。
【００３０】
この結果、コンデンサ３１は、電流制限抵抗３３を介して放電され、コンデンサ３１の電圧が“Ｌ”レベルに相当する電圧に至ると、ＰＭＯＳトランジスタ３０のゲート端子Ｇは、“Ｌ”レベルとなり、ＰＭＯＳトランジスタ３０は、オン状態となる。
【００３１】
これにより、内蔵バッテリ１１の電力は、分圧抵抗４３及び分圧抵抗４４に供給され、分圧抵抗４３及び分圧抵抗４４による分圧電圧（＝“Ｈ”レベル）がＮＭＯＳトランジスタ４１のゲート端子Ｇは“Ｈ”レベルとなり、ＮＭＯＳトランジスタ４１はオン状態となる。
【００３２】
このとき、バッテリ電源供給制御端子３８は、直流電源端子１２に外部の直流電源が接続されていないため、“Ｌ”レベルとなっているので、ＰＭＯＳトランジスタ４２は、オン状態となり、内蔵バッテリ１１の蓄電電力は、ＰＭＯＳトランジスタ３０、ＰＭＯＳトランジスタ４２及びシステム電源ラインＳＬを介して、システムユニット１４のシステム電源供給端子５１に供給される。
【００３３】
ＮＭＯＳトランジスタ４１がオン状態となると、その後、ユーザが電源ボタン１７を押すのを止めても、ＰＭＯＳトランジスタ３０のゲート端子Ｇは、“Ｌ”レベルを維持し、ＰＭＯＳトランジスタ３０は、オン状態を継続する。
【００３４】
したがって、内蔵バッテリ１１の蓄電電力は、ＰＭＯＳトランジスタ４２及びシステム電源ラインＳＬを介して、システムユニット１４のシステム電源供給端子５１に供給されつづけることとなり、システムユニット１４は、内蔵バッテリ１１で動作が可能となり、電子機器１０Ａ全体を制御することとなる。
次に、内蔵バッテリ１１による電子機器１０Ａの駆動をやめて、工場出荷状態とする場合の動作を説明する。
この場合には、画面設定や、操作入力部において特殊操作を行うことにより、システムユニット１４Ａは、システムユニット１４の入出力端子５２を“Ｈ”レベルとする。
これによりＮＭＯＳトランジスタ４１のゲート端子Ｇは接地され、“Ｌ”レベルとなるためＮＭＯＳトランジスタ４１はオフ状態となる。
この結果、ＰＭＯＳトランジスタ３０のゲート端子Ｇは、内蔵バッテリ１１の電源電圧、すなわち、“Ｈ”レベルとなり、オフ状態となる。
したがって、電子機器１０Ａは、工場出荷状態に戻ることとなる。
【００３５】
次に外部電源を接続して電子機器１０Ａを駆動する場合の動作を説明する。
上記初期状態において、直流電源端子１２に外部の直流電源を接続すると、逆流防止ダイオード２０及び電源入力端子２１を介して、外部の直流電源からの電力がシステム電源端子３６を介してシステムユニット１４のシステム電源供給端子５１に供給される。
【００３６】
外部の直流電源からの電力のシステム電源端子３６を介しての供給と並行して、分圧抵抗４８及び分圧抵抗４９を介して供給電力の電圧が分圧され、ＮＭＯＳトランジスタ４７のゲート端子Ｇが“Ｈ”レベルとなる。
これによりＮＭＯＳトランジスタ４７は、オン状態となり、ＰＭＯＳトランジスタ３０のゲート端子Ｇは、電流制限抵抗３３を介して接地され、“Ｌ”レベルとなる。
【００３７】
ゲート端子Ｇが“Ｌ”レベルとなったＰＭＯＳトランジスタ３０は、オン状態となり、バッテリ端子３７を介して外部の直流電源からの電力供給が可能な状態となり、内蔵バッテリ１１の状態に応じて充放電制御ユニット１３Ａの制御下で充電が可能な状態となる。
【００３８】
したがって、外部の直流電源からの電力は、システムユニット１４に供給され続けて、システムユニット１４は、電子機器１０全体を制御することとなり、外部の直流電源からの電力により動作が可能となる。
【００３９】
さらに、外部の直流電源からの電力は、充放電制御ユニット１３Ａの制御下で必要に応じて内蔵バッテリ１１に供給されて充電が行える。
【００４０】
以上の説明のように、本第２実施形態によれば、外部の直流電源を接続していない状態においては、ユーザが電源ボタン１７を長押しするまでは、システムユニット１４及びコントローラ２４Ａは、内蔵バッテリ１１から遮断された状態であるため、待機電流をほぼ零とすることができ、内蔵バッテリ１１のバッテリ残量保持期間の長期化を図ることが可能となる。
【００４１】
さらに外部の直流電源が接続された場合には、当該直流電源からの電力で動作するとともに、必要に応じて、内蔵バッテリ１１を充電することが可能となる。
【００４２】
［３］第３実施形態
上記第１実施形態及び第２実施形態においては、電子機器を構成する充放電制御ユニット及びシステムユニットの暗電流を減少させる実施形態であったが、本第３実施形態は、電子機器を構成するシステムユニットの暗電流を減少させることによりバッテリ残量保持期間の長期化を図った実施形態である。
【００４３】
図４は、第３実施形態の電子機器の概要構成説明図である。
図４において、図３と同様の部分には、同一の符号を付すものとする。
【００４４】
電子機器１０Ｂは、内蔵バッテリ１１と、内蔵バッテリ１１の充放電制御を行う充放電制御ユニット１３Ｂと、内蔵バッテリ１１の蓄電電力あるいは直流電源端子１２を介した外部の直流電源からの電力の供給を受けて電子機器１０全体を制御するシステムユニット１４と、タッチパネルディスプレイを有するユーザインタフェース部１５と、を備えている。
【００４５】
充放電制御ユニット１３Ｂは、外部の直流電源が接続される直流電源端子１２、外部電源接続時にシステムユニット１４へ電力を供給するシステム電源端子３６及び内蔵バッテリ１１への充電電力の供給及び内蔵バッテリ１１の蓄電電力が供給されるバッテリ端子５５を有し、電源供給管理及び内蔵バッテリ１１の充放電制御を行うコントローラ２４Ｂと、を備えている。
【００４６】
また、充放電制御ユニット１３Ｂは、ドレイン端子Ｄがシステム電源端子３６に接続されソース端子Ｓがシステムユニット１４のシステム電源供給端子５１に接続されたＰＭＯＳトランジスタ３０と、ＰＭＯＳトランジスタのゲート端子Ｇ−ソース端子Ｓ間に接続された抵抗３２と、ＰＭＯＳトランジスタ３０のゲート端子Ｇに一端が接続され、他端がスイッチ１７ＳＷの一端に接続された電流制限抵抗３３と、ドレイン端子Ｄが電流制限抵抗３３とスイッチ１７ＳＷとの接続点に接続され、ソース端子Ｓが接地され、ゲート端子Ｇがシステムユニット１４の入出力端子５２に接続されたＮＭＯＳトランジスタ５６と、を備えている。
【００４７】
次に第３実施形態の動作を説明する。
まず、電源入力端子２１に直流電源端子１２を介して外部の直流電源が接続されていない場合の動作について説明する。
初期状態においては、ＰＭＯＳトランジスタ３０は、オフ状態となっているものとする。
【００４８】
また、ＮＭＯＳトランジスタ５６は、システムユニット１４の入出力端子５２が“Ｌ”レベルであるため、ゲート端子Ｇも“Ｌ”レベルとなり、オフ状態となっている。
【００４９】
ユーザが電源ボタン１７を押すと、電源ボタン１７に連動する常開接点を有するスイッチ１７ＳＷがオン状態となる。
【００５０】
この結果、ＰＭＯＳトランジスタ３０のゲート端子Ｇは、“Ｌ”レベルとなり、ＰＭＯＳトランジスタ３０は、オン状態となる。
これにより、充放電制御ユニット１３Ｂは、内蔵バッテリ１１の電力をシステム電源端子３６及びＰＭＯＳトランジスタ３０を介して、システムユニット１４のシステム電源供給端子５１に供給する。
【００５１】
これにより、システムユニット１４は、入出力端子５２を“Ｈ”レベルとする。
したがって、ＮＭＯＳトランジスタ５６のゲート端子Ｇは“Ｈ”レベルとなり、ＮＭＯＳトランジスタ５６はオン状態となる。
【００５２】
ＮＭＯＳトランジスタ５６がオン状態となると、その後、ユーザが電源ボタン１７を押すのを止めても、ＰＭＯＳトランジスタ３０のゲート端子Ｇは、“Ｌ”レベルを維持し、ＰＭＯＳトランジスタ３０は、オン状態を継続する。
【００５３】
したがって、内蔵バッテリ１１の蓄電電力は、システムユニット１４に供給されつづけることとなり、システムユニット１４は、電子機器１０Ｂ全体を制御することとなり、内蔵バッテリで動作が可能となる。
【００５４】
次に外部電源を接続して電子機器１０Ｂを駆動する場合の動作を説明する。
上記初期状態において、外部の直流電源からの電力がシステム電源端子３６を介してシステムユニット１４のシステム電源供給端子５１に供給可能な状態となる。
【００５５】
この状態において、ユーザが電源ボタン１７を押すと、電源ボタン１７に連動する常開接点を有するスイッチ１７ＳＷがオン状態となる。
この結果、ＰＭＯＳトランジスタ３０のゲート端子Ｇは、“Ｌ”レベルとなり、ＰＭＯＳトランジスタ３０は、オン状態となる。
これにより、充放電制御ユニット１３Ｂは、内蔵バッテリ１１の電力をシステム電源端子３６及びＰＭＯＳトランジスタ３０を介して、システムユニット１４のシステム電源供給端子５１に供給する。
【００５６】
これにより、システムユニット１４は、入出力端子５２を“Ｈ”レベルとする。
したがって、ＮＭＯＳトランジスタ５６のゲート端子Ｇは“Ｈ”レベルとなり、ＮＭＯＳトランジスタ５６はオン状態となる。
【００５７】
ＮＭＯＳトランジスタ５６がオン状態となると、その後、ユーザが電源ボタン１７を押すのを止めても、ＰＭＯＳトランジスタ３０のゲート端子Ｇは、“Ｌ”レベルを維持し、ＰＭＯＳトランジスタ３０は、オン状態を継続する。
【００５８】
したがって、内蔵バッテリ１１の蓄電電力は、システムユニット１４に供給されつづけることとなり、システムユニット１４は、電子機器１０Ｂ全体を制御することとなり、外部の直流電源からの電力に基づいて動作可能となる。
【００５９】
したがって、本第３実施形態によれば、電源ボタン１７が押されるまでは、システムユニット１４への電源供給経路は完全に遮断されているため、システムユニット１４を流れる案電流により内蔵バッテリ１１の電力が消費させることはなく、内蔵バッテリ１１のバッテリ残量保持期間の長期化を図ることが可能となる。
【００６０】
［４］第４実施形態
図５は、第４実施形態の電子機器の概要構成説明図である。
図５において、図３と同様の部分には、同一の符号を付すものとする。
本第４実施形態が、第２実施形態と異なる点は、第３実施形態と同様に、電子機器を構成するシステムユニットの暗電流を減少させることにより内蔵バッテリの残量保持期間の長期化を図った点である。
【００６１】
電子機器１０Ｃは、内蔵バッテリ１１と、内蔵バッテリ１１の充放電制御を行う充放電制御ユニット１３Ｃと、内蔵バッテリ１１の蓄電電力あるいは直流電源端子１２を介した外部の直流電源からの電力の供給を受けて電子機器１０全体を制御するシステムユニット１４と、タッチパネルディスプレイを有するユーザインタフェース部１５と、を備えている。
【００６２】
充放電制御ユニット１３Ｃは、外部の直流電源が接続される直流電源端子１２、外部電源接続時にシステムユニット１４へ電力を供給するシステム電源端子３６、内蔵バッテリ１１への充電電力を供給するバッテリ端子３７及び外部の直流電源の接続時に“Ｈ”レベルとなるバッテリ電源供給制御端子３８を有し、電源供給管理及び内蔵バッテリ１１の充放電制御を行うコントローラ２４Ｃと、ドレイン端子Ｄがシステム電源端子３６に接続されソース端子Ｓがシステムユニット１４のシステム電源供給端子５１に接続されたＰＭＯＳトランジスタ３０と、を備えている。
【００６３】
また、充放電制御ユニット１３Ｃは、ＰＭＯＳトランジスタ３０のゲート端子Ｇ−ドレイン端子Ｄ間に接続された抵抗３２と、ＰＭＯＳトランジスタ３０のゲート端子Ｇに一端が接続され、他端がスイッチ１７ＳＷの一端に接続された電流制限抵抗３３と、電流制限抵抗３３とスイッチ１７ＳＷの接続点にドレイン端子Ｄが接続され、ソース端子Ｓが接地されたＮＭＯＳトランジスタ４１と、一端がＰＭＯＳトランジスタ３０のソース端子Ｓに接続され、他端がＮＭＯＳトランジスタ４１のゲート端子Ｇに接続された分圧抵抗６１と、を備えている。
【００６４】
さらに充放電制御ユニット１３Ｃは、一端がＮＭＯＳトランジスタ４１のゲート端子Ｇに接続され、他端が接地された分圧抵抗６２と、一端がＮＭＯＳトランジスタ４１のゲート端子Ｇに接続され、他端が接地されたコンデンサ４５と、一端がＮＭＯＳトランジスタ４１のゲート端子Ｇに接続され、他端が接地されたＮＭＯＳトランジスタ４６と、一端がＮＭＯＳトランジスタ４６のソース端子Ｓに接続され、他端がシステムユニット１４のシステム電源供給端子５１に接続され、システム電源ラインＳＬの電圧変動を抑制するためのコンデンサ５０と、を備えている。
【００６５】
さらにまた、充放電制御ユニット１３Ｃは、電流制限抵抗３３とスイッチ１７ＳＷの接続点にドレイン端子Ｄが接続され、ソース端子Ｓが接地されたＮＭＯＳトランジスタ４７と、一端が逆流防止ダイオード２０のカソード端子Ｋに接続され、他端がＮＭＯＳトランジスタ４７のゲート端子Ｇに接続された分圧抵抗４８と、一端がＮＭＯＳトランジスタ４７のゲート端子Ｇに接続され、他端が接地された分圧抵抗４９と、を備えている。
【００６６】
上記構成において、システムユニット１４は、システム電源端子３６に接続されて、電力供給を受けるシステム電源供給端子５１及びＮＭＯＳトランジスタ４６のゲート端子Ｇに接続された入出力端子５２を備えている。
【００６７】
次に第４実施形態の動作を説明する。
まず、電源入力端子２１に直流電源端子１２を介して外部の直流電源が接続されていない場合について説明する。
【００６８】
初期状態においては、ＰＭＯＳトランジスタ３０は、コンデンサ３１が充電状態（“Ｈ”レベル）となっているため、ＰＭＯＳトランジスタ３０のゲート端子Ｇは“Ｈ”レベルであり、オフ状態となっている。
ＮＭＯＳトランジスタ４１及びＮＭＯＳトランジスタ４７のゲート端子Ｇは、接地され、“Ｌ”レベルであるためオフ状態となっている。
【００６９】
また、ＮＭＯＳトランジスタ４６は、システムユニット１４の入出力端子５２が“Ｌ”レベルであるため、ゲート端子Ｇも“Ｌ”レベルとなり、オフ状態となっている。
【００７０】
まず、内蔵バッテリ１１で、電子機器１０Ｃを駆動する場合の動作を説明する。
上記初期状態において、ユーザが電源ボタン１７を押すと、電源ボタン１７に連動する常開接点を有するスイッチ１７ＳＷがオン状態となる。
この結果、コンデンサ３１は、電流制限抵抗３３を介して放電され、コンデンサ３１の電圧が“Ｌ”レベルに相当する電圧に至ると、ＰＭＯＳトランジスタ３０のゲート端子Ｇは、“Ｌ”レベルとなり、ＰＭＯＳトランジスタ３０は、オン状態となる。
【００７１】
このとき、バッテリ電源供給制御端子３８は、直流電源端子１２に外部の直流電源が接続されていないため、“Ｌ”レベルとなっているので、ＰＭＯＳトランジスタ４２は、オン状態となり、内蔵バッテリ１１の電力は、ＰＭＯＳトランジスタ４２、ＰＭＯＳトランジスタ３０及びシステム電源ラインＳＬを介して、システムユニット１４のシステム電源供給端子５１に供給され、システムユニット１４は、内蔵バッテリ１１の供給電力で動作が可能となり、電子機器１０Ｃ全体を制御することとなる。
【００７２】
このとき、内蔵バッテリ１１からの電力は、分圧抵抗６１及び分圧抵抗６２に供給され、分圧抵抗６１及び分圧抵抗６２による分圧電圧（＝“Ｈ”レベル）がＮＭＯＳトランジスタ４１のゲート端子Ｇに印加される。
【００７３】
すなわち、ＮＭＯＳトランジスタ４１のゲート端子Ｇは“Ｈ”レベルとなり、ＮＭＯＳトランジスタ４１はオン状態となる。
ＮＭＯＳトランジスタ４１がオン状態となると、その後、ユーザが電源ボタン１７を押すのを止めても、ＰＭＯＳトランジスタ３０のゲート端子Ｇは、“Ｌ”レベルを維持し、ＰＭＯＳトランジスタ３０は、オン状態を継続する。
【００７４】
したがって、内蔵バッテリ１１の蓄電電力は、ＰＭＯＳトランジスタ４２及びシステム電源ラインＳＬを介して、システムユニット１４のシステム電源供給端子５１に供給されつづけることとなり、システムユニット１４は、内蔵バッテリ１１で動作が可能となり、電子機器１０Ｃ全体を制御することとなる。
【００７５】
次に、内蔵バッテリ１１による電子機器１０Ｃの駆動をやめて、工場出荷状態とする場合の動作を説明する。
この場合には、画面設定や、操作入力部において特殊操作を行うことにより、システムユニット１４は、システムユニット１４の入出力端子５２を“Ｈ”レベルとする。
【００７６】
これによりＮＭＯＳトランジスタ４６のゲート端子Ｇは“Ｈ”レベルとなるので、ＮＭＯＳトランジスタ４６は、オン状態となる。
ＮＭＯＳトランジスタ４６がオン状態となると、ＮＭＯＳトランジスタ４１のゲート端子Ｇは接地され、“Ｌ”レベルとなるためＮＭＯＳトランジスタ４１は、オフ状態となる。
【００７７】
この結果、再びコンデンサ３１は、充電されて“Ｈ”レベルとなり、ＰＭＯＳトランジスタ３０のゲート端子Ｇが“Ｈ”レベルとなって、ＰＭＯＳトランジスタ３０はオフ状態となる。
したがって、電子機器１０Ｃは、再び工場出荷状態に戻り、システムユニット１４の暗電流を電気的に切り離して、その暗電流を無くし、内蔵バッテリ１１の残量の長期にわたる保持が行える。
【００７８】
次に外部電源を接続して電子機器１０Ｃを駆動する場合の動作を説明する。
上記初期状態において、直流電源端子１２に外部の直流電源を接続すると、コントローラ２４Ｃは、バッテリ電源供給制御端子３８を“Ｈ”レベルとする。
この結果、ＰＭＯＳトランジスタ４２のゲート端子Ｇは、“Ｈ”レベルとなるため、ＰＭＯＳトランジスタ４２はオフ状態となる。
したがって、内蔵バッテリ１１とシステム電源ラインＳＬとは、電気的に切り離される。
【００７９】
一方、コントローラ２４Ｃのシステム電源端子３６は、外部の直流電源からの供給電力をＰＭＯＳトランジスタ３０及びシステム電源ラインＳＬを介してシステムユニット１４のシステム電源供給端子５１に供給可能な状態となる。
【００８０】
この状態において、外部の直流電源からの電力は、分圧抵抗４８及び分圧抵抗４９にも供給され、分圧抵抗４８及び分圧抵抗４９を介して分圧された供給電力により、ＮＭＯＳトランジスタ４７のゲート端子Ｇが“Ｈ”レベルとなる。
これによりＮＭＯＳトランジスタ４７は、オン状態となる。
【００８１】
ＮＭＯＳトランジスタ４７がオン状態の場合に、ユーザが電源ボタン１７を押すと、電源ボタン１７に連動する常開接点を有するスイッチ１７ＳＷがオン状態となる。
この結果、コンデンサ３１は、電流制限抵抗３３を介して放電され、コンデンサ３１の電圧が“Ｌ”レベルに相当する電圧に至ると、ＰＭＯＳトランジスタ３０のゲート端子Ｇは、“Ｌ”レベルとなり、ＰＭＯＳトランジスタ３０は、オン状態となり、コントローラ２４Ｃのシステム電源端子３６は、外部の直流電源からの供給電力をＰＭＯＳトランジスタ３０及びシステム電源ラインＳＬを介してシステムユニット１４のシステム電源供給端子５１に供給する。
【００８２】
この場合において、ＮＭＯＳトランジスタ４７は、オン状態であるので、その後、ユーザが電源ボタン１７を押すのを止めても、ＰＭＯＳトランジスタ３０のゲート端子Ｇは、“Ｌ”レベルを維持することとなり、ＰＭＯＳトランジスタ３０は、オン状態を継続する。
【００８３】
したがって、外部の直流電源からの供給電力は、システムユニット１４に供給されつづけることとなり、システムユニット１４は、電子機器１０Ｂ全体を制御することとなり、外部の直流電源からの供給電力により継続して動作が可能となる。
【００８４】
さらに、外部の直流電源からの電力は、充放電制御ユニット１３Ａの制御下で必要に応じて内蔵バッテリ１１に供給されて充電が行える。
【００８５】
以上の説明のように、本第４実施形態によれば、外部の直流電源を接続していない状態においては、ユーザが電源ボタン１７を長押しするまでは、システムユニット１４は、内蔵バッテリ１１から遮断された状態であるため、待機電流をほぼ零とすることができ、内蔵バッテリ１１のバッテリ残量保持期間の長期化を図ることが可能となる。
【００８６】
さらに外部の直流電源が接続された場合には、当該直流電源からの電力で動作するとともに、必要に応じて、内蔵バッテリ１１を充電することが可能となる。
【００８７】
［５］実施形態の効果
以上の説明のように、各実施形態によれば，ユーザが電源ボタン１７を長押しするまでは、システムユニット１４及びコントローラ２４のうち、少なくともシステムユニット１４は、内蔵バッテリ１１から遮断された状態であるため、待機電流をほぼ零とすることができ、内蔵バッテリ１１のバッテリ残量保持期間の長期化を図ることが可能となる。
特にシステムユニット１４及びコントローラ２４を、内蔵バッテリ１１から遮断された状態であるため、待機電流をほぼ零とすることができ、内蔵バッテリ１１のバッテリ残量保持期間のより一層の長期化を図ることが可能となる。
【００８８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８９】
１０、１０Ａ〜１０Ｃ    電子機器
１１    内蔵バッテリ
１２    直流電源端子
１３、１３Ａ〜１３Ｃ  充放電制御ユニット
１４    システムユニット
１４Ａ  システムユニット
１５    ユーザインタフェース部
１６    ディスプレイ
１７    電源ボタン
１７ＳＷ  スイッチ
１８    入力操作部
２０    逆流防止ダイオード
２１    電源入力端子
２２    通常電源オン端子
２３    電源供給ステータス端子
２４、２４Ａ〜２４Ｃ  コントローラ
２５    第１逆流防止ダイオード
２６    ＮＭＯＳトランジスタ
２７    抵抗
２８    第２逆流防止ダイオード
２９    第３逆流防止ダイオード
３０    ＰＭＯＳトランジスタ
３１    コンデンサ
３２    抵抗
３３    電流制限抵抗
３５    コンデンサ
３６    システム電源端子
３７    バッテリ端子
３８    バッテリ電源供給制御端子
４１    ＮＭＯＳトランジスタ
４２    ＰＭＯＳトランジスタ
４３、４４、４８、４９、６１、６２    分圧抵抗
４５、５０    コンデンサ
４６、４７、５６    ＮＭＯＳトランジスタ
５１    システム電源供給端子
５２    入出力端子
５５    バッテリ端子
ＳＬ    システム電源ライン
【図１】
2015128336.tif 000003
【図２】
2015128336.tif 000004
【図３】
2015128336.tif 000005
【図４】
2015128336.tif 000006
【図５】
2015128336.tif 000007